(57)【特許請求の範囲】
【請求項１】
第１の部品接続部(１１ａ)を備える第１の固定部（１１）と、第１方向に垂直する第２方向で貫通する装着貫通孔(１４)を有し前記第１方向にて移動可能に設置される第１の移動部(１２)と、前記第１の固定部（１１）と前記第１の移動部(１２)との間に位置する第１の弾力部(１３)とを含む第１の接続体（１０）と、
第２の部品接続部(２０ａ)と前記装着貫通孔(１４)の孔壁を収容する収容溝(２０ｂ)とを有し、前記装着貫通孔(１４)に突き込まれた突き込み状態と前記装着貫通孔(１４)から引き出された引き出し状態を有し、前記第１の接続体(１０)と協力する第２の接続体(２０)と、
を含み、
前記第１の移動部(１２)は前記装着貫通孔(１４)の孔壁が前記収容溝(２０ｂ)に突き込まれた接続状態及び前記装着貫通孔(１４)の孔壁が前記収容溝(２０ｂ)から引き出された分離状態を有し、前記第１の移動部(１２)は前記第１の弾力部(１３)の作用のみで前記接続状態になり、
前記第２の接続体(２０)は、第２の固定部(２１)と前記第２方向にて移動可能に前記第２の固定部(２１)に設置される第２の移動部(２２)とを含み、前記第２の部品接続部(２０ａ)は前記第２の固定部(２１)に形成され、前記収容溝(２０ｂ)は前記第２の移動部(２２)に形成され、前記第２の移動部(２２)は前記突き込み状態と前記引き出し状態を有することを特徴とする、接続装置。
【請求項２】
前記収容溝(２０ｂ)は環状溝であり、前記第２の固定部(２１)は前記第２方向で貫通するネジ穴を有し、前記第２の移動部(２２)はブーム(２３)を含み、前記収容溝(２０ｂ)は前記ブーム(２３)に形成され、前記ブーム(２３)は前記ネジ穴に結合される雄ねじを有することを特徴とする、請求項１に記載の接続装置。
【請求項３】
前記装着貫通孔(１４)は前記第１方向に分布された貫通孔領域(１４ａ)とロック孔領域(１４ｂ)とを含み、前記ロック孔領域(１４ｂ)の面積は前記貫通孔領域(１４ａ)の面積より小さく、前記第１の移動部(１２)が前記接続状態である場合、前記第２の移動部(２２)は前記ロック孔領域(１４ｂ)に位置し、前記ロック孔領域(１４ｂ)の孔壁が前記収容溝(２０ｂ)に突き込まれ、前記第１の移動部(１２)が前記分離状態である場合、前記第２の移動部(２２)は前記貫通孔領域(１４ａ)に位置することを特徴とする、請求項１に記載の接続装置。
【請求項４】
前記第１の弾力部(１３)が第１の圧縮ばねであることを特徴とする、請求項１に記載の接続装置。
【請求項５】
前記第２の移動部(２２)は、前記ブーム(２３)に固定し接続される回しハンドル(２４)をさらに有し、前記第２の固定部(２１)は前記回しハンドル(２４)と前記第１の接続体(１０)との間に位置し、前記回しハンドル(２４)の円周方向に間隔をあけた複数のハンドル溝(２４ａ)を有することを特徴とする、請求項２に記載の接続装置。
【請求項６】
前記第１の部品接続部(１１ａ)と前記第２の部品接続部(２０ａ)がいずれもねじ貫通孔であることを特徴とする、請求項１に記載の接続装置。
【請求項７】
第１の接続部(３１)を備える第１の表示ユニット体(３０)と、
第２の接続部(４１)を備える第２の表示ユニット体(４０)と、
を含むディスプレイであって、
請求項１〜６のいずれか一項に記載の接続装置をさらに有し、
前記第１の固定部(１１)は前記第１の接続部(３１)に固定し接続され、前記第２の固定部(２１)は前記第２の接続部(４１)に固定し接続され、前記第１の接続部(３１)は前記第２の接続部(４１)と前記第１の移動部(１２)との間に位置し、前記第１の接続部(３１)は前記第２の接続体(２０)を退避するための第１の退避貫通孔(３２)を有することを特徴とする、ディスプレイ。
【請求項８】
前記第１の接続体(１０)は前記第１の移動部(１２)に設置されるロック装置(１５)をさらに有し、前記ロック装置(１５)はロックピン(１６)と第２のスプリング(１７)とを含み、前記第２のスプリング(１７)は前記ロックピン(１６)に前記第２の接続部(４１)を向かう作用力を印加し、前記第１の接続部(３１)は前記ロックピン(１６)を退避するための第２の退避貫通孔(３３)を有し、前記第２の退避貫通孔(３３)の孔壁は前記ロックピン(１６)の移動を許容するスライド溝(３４)を有し、前記スライド溝(３４)は前記第２の退避貫通孔(３３)と前記第１の退避貫通孔(３２)との間に位置し、前記スライド溝(３４)の底面は前記第２の接続部(４１)から背離し、前記第２の接続部(４１)には前記第２の退避貫通孔(３３)に向かって延在する抵抗突起(４２)が設置され、前記ロックピン(１６)は前記第２の退避貫通孔(３３)に突き込まれて前記第２の退避貫通孔(３３)の孔壁によって止められる第１のロック状態と前記抵抗突起(４２)と接触してから前記スライド溝(３４)へ移動しスライド溝(３４)の壁によって止められる第２のロック状態とを有し、前記ロックピン(１６)が前記第１のロック状態である場合、前記第１の移動部(１２)は前記分離状態になり、前記ロックピン(１６)が前記第２のロック状態である場合、前記第１の移動部(１２)は前記接続状態になることを特徴とする、請求項７に記載のディスプレイ。
【請求項９】
前記第１の接続部(３１)は前記第２方向にて延在するガイド溝(３５)を有し、前記第１の移動部(１２)は前記ガイド溝(３５)に突き込まれる被案内部を備えることを特徴とする、請求項７に記載のディスプレイ。
【発明の詳細な説明】
【技術分野】
【０００１】
本発明は、組み立て技術分野に関し、特に、接続装置及びそれを備えるディスプレイに関するものである。
【背景技術】
【０００２】
現在、ＬＥＤディスプレイの装着は多くの人々が協力して行わなければならなく、ディスプレイの製造現場でも多くの人々の協力が必要で、人力費用、経済的コスト、環境等の資源を浪費してしまう。
【発明の概要】
【発明が解決しようとする課題】
【０００３】
本発明は、作業量を低減し、装着効率を向上させることのできる接続装置及びそれを備えるディスプレイを提供することをその目的とする。
【課題を解決するための手段】
【０００４】
上記目的を実現するため、本発明の一態様によると、第１の部品接続部を備える第１の固定部と、第１方向に垂直する第２方向で貫通する装着貫通孔を具備して第１方向にて移動可能に設置される第１の移動部と、第１の固定部と第１の移動部との間に位置する第１の弾力部を含む第１の接続体と、第２の部品接続部と装着貫通孔の孔壁を収容する収容溝とを具備し、装着貫通孔に突き込まれた突き込み状態と装着貫通孔から引き出された引き出し状態を有し、第１の接続体と協力する第２の接続体と、を含み、第１の移動部は装着貫通孔の孔壁が収容溝に突き込まれた接続状態及び装着貫通孔の孔壁が収容溝から引き出された分離状態を有し、第１の移動部は第１の弾力部の作用のみによって接続状態になる接続装置を提供する。
【０００５】
さらに、第２の接続体は第２の固定部と第２方向にて移動可能に第２の固定部に設置される第２の移動部とを含み、第２の部品接続部は第２の固定部に形成され、収容溝は第２の移動部に形成され、第２の移動部は突き込み状態と引き出し状態を有する。
【０００６】
さらに、収容溝は環状溝であり、第２の固定部は第２方向で貫通するネジ穴を有し、第２の移動部はブームを含み、収容溝はブームに形成され、ブームはネジ穴に結合される雄ねじを有する。
【０００７】
さらに、装着貫通孔は、第１方向に分布された貫通孔領域とロック孔領域とを含み、ロック孔領域の面積は貫通孔領域の面積より小さく、第１の移動部が接続状態である場合、第２の移動部はロック孔領域に位置し、且つロック孔領域の孔壁は収容溝に突き込まれ、第１の移動部が分離状態である場合、第２の移動部は貫通孔領域に位置する。
【０００８】
さらに、第１の弾力部は、第１の圧縮ばねである。
【０００９】
さらに、第２の移動部は、ブームに固定し接続される回しハンドルを更に含み、第２の固定部は回しハンドルと第１の接続体との間に位置し、回しハンドルの円周方向に沿って間隔をあけて設置される複数のハンドル溝を有する。
【００１０】
さらに、第１の部品接続部と第２の部品接続部はいずれもねじ貫通孔である。
【００１１】
本発明の他の一態様によると、第１の接続部を備える第１の表示ユニット体と、第２の接続部を備える第２の表示ユニット体とを含むディスプレイであって、上記接続装置を更に含み、第１の固定部は第１の接続部に固定し接続され、第２の接続体は第２の接続部に固定し接続され、第１の接続部は第２の接続部と第１の移動部との間に位置し、第１の接続部が第２の接続体を退避するための第１の退避貫通孔を具備するディスプレイを提供する。
【００１２】
さらに、第１の接続体は、第１の移動部に設置されるロック装置を更に含み、ロック装置はロックピンと第２のスプリングとを具備し、第２のスプリングはロックピンに第２の接続部に向かう作用力を印加し、第１の接続部はロックピンを退避するための第２の退避貫通孔を有し、第２の退避貫通孔の孔壁にロックピンの移動を許容するスライド溝を有し、スライド溝は第２の退避貫通孔と第１の退避貫通孔との間に位置し、スライド溝の底面は第２の接続部から背離し、第２の接続部には第２の退避貫通孔に向かって延在する抵抗突起が設置され、ロックピンは第２の退避貫通孔に突き込まれて該第２の退避貫通孔の孔壁によって止められる第１のロック状態と、抵抗突起に接触してからスライド溝へ移動しスライド溝の壁によって止められる第２のロック状態と、を有し、ロックピンが第１のロック状態である場合、第１の移動部は分離状態になり、ロックピンが第２のロック状態である場合、第１の移動部は接続状態になる。
【００１３】
さらに、第１の接続部は、第２方向で延在するガイド溝を有し、第１の移動部はガイド溝に突き込まれる被案内部を有する。
【００１４】
本発明の技術案によると、第１の固定部を第１の部品に固定して接続し、第２の接続体を第２の部品に固定して接続した後、第２の接続体を突き込み状態にし、第１の移動部を第１の弾力部の作用のみを受ける状態にするので、第１の移動部は第１の弾力部の作用力で接続状態になり、この時、装着貫通孔の孔壁は収容溝に突き込まれ、第１の部品と第２の部品が固定される。第１の移動部が分離状態になって、装着貫通孔の孔壁が収容溝から引き出されるように、第１の移動部に第１の弾力部に抵抗するための作用力を印加すると、この時、第１の接続体と第２の接続体は接続されなく、即ち、第１の部品と第２の部品とを分離させることができる。装着過程において、第１の移動部を人為的に駆動させずに接続状態にすることができ、作業量を低減するとともに、装着効率を向上させる。上述したように、本発明の接続装置によると、作業量を低減し、装着効率を向上させる。
【００１５】
本願の一部を構成する図面は本発明を一層理解させるためのものであって、本発明に示す実施形態及びその説明は本発明を解釈するもので、本発明を不当に限定するものではない。
【図面の簡単な説明】
【００１６】
【図１】本発明に係わる接続装置の実施形態中の第１の接続体の構造を示す図である。
【図２】本発明に係わる接続装置の実施形態中の第２の接続体の構造を示す図である。
【図３】本発明に係わるディスプレイの実施形態の構造を示す図である。
【図４】図３中のディスプレイの一部を分解した構造を示す図である。
【図５】図３中のディスプレイの第１の接続体のロック装置の局部断面図である。
【発明を実施するための形態】
【００１７】
尚、矛盾しない限り、本発明中の実施形態及び実施形態に記載の特徴を互いに組み合せすることができる。以下、図面を参照しつつ実施形態を結合して本発明を詳しく説明する。
【００１８】
図１と図２に示すように、本実施形態の接続装置は、第１の接続体１０と、第１の接続体１０に協力する第２の接続体２０とを含む。第１の接続体１０は、第１の固定部１１と、第１方向にて移動可能に設置された第１の移動部１２と、第１の固定部１１と第１の移動部１２との間に位置する第１の弾力部１３とを含み、第１の固定部１１は第１の部品接続部１１ａを有し、第１の移動部１２は第１方向に垂直する第２方向で貫通する装着貫通孔１４を有する。第２の接続体２０は第２の部品接続部２０ａと装着貫通孔１４の孔壁を収容する収容溝２０ｂとを有し、第２の接続体２０は装着貫通孔１４に突き込まれた突き込み状態と、装着貫通孔１４から引き出された引き出し状態とを有し、第１の移動部１２は装着貫通孔１４の孔壁が収容溝２０ｂに突き込まれた接続状態と装着貫通孔１４の孔壁が収容溝２０ｂから引き出された分離状態とを有し、第１の移動部１２は第１の弾力部１３の作用のみで接続状態になる。
【００１９】
本実施形態の接続装置によると、第１の固定部１１を第１の部品に固定して接続し、第２の接続体２０を第２の部品に固定して接続した後、第２の接続体２０を突き込み状態にし、第１の移動部１２を第１の弾力部１３の作用のみを受ける状態にするので、第１の移動部１２は第１の弾力部１３の作用で接続状態になり、この時、装着貫通孔１４の孔壁は収容溝２０ｂに突き込まれ、第１の部品と第２の部品が固定される。第１の移動部１２が分離状態になって、装着貫通孔１４の孔壁が収容溝２０ｂから引き出されるように、第１の移動部１２に第１の弾力部１３に抵抗するための作用力を印加すると、この時、第１の接続体１０と第２の接続体２０は接続されなく、即ち、第１の部品と第２の部品とを分離させることができる。装着過程において、第１の移動部１２を人為的に駆動させずに接続状態にすることができ、作業量を低減するとともに、装着効率を向上させる。上述したように、本実施形態の接続装置によると、作業量を低減し、装着効率を向上させることができる。
【００２０】
図２に示すように、本実施形態において、第２の接続体２０は、第２の固定部２１と、第２方向にて移動可能に第２の固定部２１に設置される第２の移動部２２とを含み、第２の部品接続部２０ａは第２の固定部２１に形成され、収容溝２０ｂは第２の移動部２２に形成され、第２の移動部２２は突き込み状態と引き出し状態とを有する。このような構造を用いることで、第１の移動部１２が接続状態である場合、第２の移動部２２を移動させると、第１の部品と第２の部品との接続を一層強化することができる。
【００２１】
図２に示すように、本実施形態において、収容溝２０ｂは環状溝であって、第２の固定部２１は第２方向で貫通するネジ穴を有し、第２の移動部２２はブーム２３を含み、収容溝２０ｂはブーム２３に形成され、ブーム２３はネジ穴に結合される雄ねじを有する。このような構造を有することで、ブーム２３を回転させると、第２の移動部２２を第２方向にて移動可能に設置することができ、移動の精度が一層高くなる。そして、可能な他の実施形態として、第２の移動部２２がラックを有し、第２の固定部２１がラックに結合されるギヤを有し、ギヤを駆動して回転させて、第２の移動部２２を第２方向にて移動可能に設置することもできる。
【００２２】
図１に示すように、本実施形態において、装着貫通孔１４は第１方向に分布された貫通孔領域１４ａと、ロック孔領域１４ｂとを含み、ロック孔領域１４ｂの面積は貫通孔領域１４ａの面積より小さく、第１の移動部１２が接続状態である場合、第２の移動部２２はロック孔領域１４ｂに位置し、ロック孔領域１４ｂの孔壁が収容溝２０ｂに突き込まれ、第１の移動部１２が分離状態である場合、第２の移動部２２は貫通孔領域１４ａに位置する。このような構造を有することで、第１の接続体１０と第２の接続体２０との接続を一層強化することができる。
【００２３】
図１に示すように、本実施形態において、第１の弾力部１３は第１の圧縮ばねである。可能な他の実施形態として、第１の弾力部１３が引張ばね又は弾性スリーブであることもできる。
【００２４】
図２に示すように、本実施形態において、第２の移動部２２は、ブーム２３に固定し接続される回しハンドル２４をさらに有し、第２の固定部２１は回しハンドル２４と第１の接続体１０との間に位置し、回しハンドル２４の円周方向に間隔をあけた複数のハンドル溝２４ａを有する。上記構造をによって、ブーム２３を簡単に回転させることができる。
【００２５】
図１と図２に示すように、本実施形態において、第１の部品接続部１１ａと第２の部品接続部２０ａはいずれもねじ貫通孔である。
【００２６】
本願はさらにディスプレイを提供し、図３と図４に示すように、本実施形態のディスプレイは、第１の表示ユニット体３０と、第２の表示ユニット体４０と、上述した実施形態の接続装置とを、含む。第１の表示ユニット体３０は第１の接続部３１を有する。第２の表示ユニット体４０は第２の接続部４１を有する。第１の固定部１１は第１の接続部３１に固定し接続され、第２の固定部２１は第２の接続部４１に固定し接続され、第１の接続部３１は第２の接続部４１と第１の移動部１２との間に位置し、第１の接続部３１は第２の移動部２２を退避するための第１の退避貫通孔３２を有する。本実施形態のディスプレイによると、作業量を低減し、装着効率を向上させることができる。
【００２７】
図４と図５に示すように、本実施形態において、第１の接続体１０は、第１の移動部１２に設置されるロック装置１５をさらに有し、ロック装置１５はロックピン１６と第２のスプリング１７を含み、第２のスプリング１７はロックピン１６に第２の接続部４１に向かう作用力を印加し、第１の接続部３１はロックピン１６を退避するための第２の退避貫通孔３３を有し、第２の退避貫通孔３３の孔壁はロックピン１６の移動を許容するためのスライド溝３４を有し、スライド溝３４は第２の退避貫通孔３３と第１の退避貫通孔３２との間に位置し、スライド溝３４の底面は第２の接続部４１から背離し、第２の接続部４１に第２の退避貫通孔３３に向かって延在する抵抗突起４２が設置され、ロックピン１６は、第２の退避貫通孔３３に突き込まれて第２の退避貫通孔３３の孔壁によって止められる第１のロック状態と、抵抗突起４２に接触してからスライド溝３４へ移動しスライド溝３４の壁によって止められる第２のロック状態とを有し、ロックピン１６が第１のロック状態である場合、第１の移動部１２は分離状態になり、ロックピン１６が第２のロック状態である場合、第１の移動部１２は接続状態になる。
【００２８】
上記構造によって、第１の表示ユニット体３０と第２の表示ユニット体４０を装着する前、ロックピン１６は第１のロック状態で、第１の移動部１２は分離状態であって、第１の接続部３１と第２の接続部４１とを対向させた状態で移動させ、第２の移動部２２が第１の退避貫通孔３２を通過して貫通孔領域１４ａに突き込まれ、それと同時に、抵抗突起４２はロックピン１６に接触してロックピン１６に第２のスプリング１７に抵抗するための作用力を印加し、ロックピン１６を第２の退避貫通孔３３から引き出してスライド溝３４へ突き込んで、最終的に第２のロック状態にし、この時、第２の移動部２２はロック孔領域１４ｂに位置し、第１の移動部１２は接続状態であって、第１の表示ユニット体３０と第２の表示ユニット体４０との接続を実現し、第２の移動部２２を回させると、第１の表示ユニット体３０と第２の表示ユニット体４０とを安定的に接続させることができる。
【００２９】
図４に示すように、本実施形態において、第１の接続部３１を第２方向にて延在するガイド溝３５を有し、第１の移動部１２はガイド溝３５に突き込まれる被案内部を有する。上記構造によって、第１の移動部１２を簡単に所定の軌跡に移動させることができる。図５に示すように、本実施形態において、ロック装置１５は把持ハンドル１８をさらに有し、把持ハンドル１８は第１の移動部１２に固定されて、第１の弾力部１３の弾力を解消するように、第１の移動部１２を駆動させることができる。図４に示すように、本実施形態において、第２の接続部４１は第２の固定部２１と第１の接続部３１との間に位置し、第２の固定部２１が第２の接続部４１と第１の接続部３１とのシームレスな接続に影響を与えることを回避し、第２の接続部４１は第２の移動部２２を退避するための第３の退避貫通孔４３を有する。
【００３０】
以上は、本発明の好適な実施形態に過ぎず、本発明を限定するものではない。当業者であれば本発明に様々な修正や変形が可能である。本発明の精神や原則内での全ての修正、置換、改良などは本発明の保護範囲内に含まれる。
【符号の説明】
【００３１】
１０：第１の接続体、１１：第１の固定部、１１ａ：第１の部品接続部、１２：第１の移動部、１３：第１の弾力部、１４：装着貫通孔、１４ａ：貫通孔領域、１４ｂ：ロック孔領域、１５：ロック装置、１６：ロックピン、１７：第２のスプリング、１８：把持ハンドル、２０：第２の接続体、２０ａ：第２の部品接続部、２０ｂ：収容溝、２１：第２の固定部、２２：第２の移動部、２３：ブーム、２４：回しハンドル、３０：第１の表示ユニット体、３１：第１の接続部、３２：第１の退避貫通孔、３３：第２の退避貫通孔、３４：スライド溝、３５：ガイド溝、４０：第２の表示ユニット体、４１：第２の接続部、４２：抵抗突起、４３：第３の退避貫通孔。
【図１】
0006398127.tif 000002
【図２】
0006398127.tif 000003
【図３】
0006398127.tif 000004
【図４】
0006398127.tif 000005
【図５】
0006398127.tif 000006